(57)【要約】【課題】  窓に貼り付けられた合成樹脂製のフィルムと紙製の部分とを簡単に分けることを可能にする窓付き封筒を提供する。【解決手段】  一葉の紙の端部に設けられた接着片１３、１４を用いて一葉の紙を折り曲げた後で接着することにより形成された封筒本体１と、封筒本体１の表紙１１に設けられた窓１１Ａと、この窓１１Ａをふさぐ透視可能な透明シート１１Ｂとを備える窓付き封筒において、透明シート１１Ｂを囲むように設けられたミシン目２１Ａにより形成される切り取り部２と、切り取り部２の縁を形成するミシン目２１Ａから窓１１Ａの縁までの間に設けられた少なくとも２本のミシン目２Ａ1により形成される切片２Ａとを備える。【選択図】  図１
2008056320.tif 000002
【特許請求の範囲】
【請求項１】
一葉の紙の端部に設けられた接着片を用いて前記一葉の紙を折り曲げた後で接着することにより形成された封筒本体と、前記封筒本体の表紙に設けられた窓と、この窓をふさぐ透視可能な透明シートとを備える窓付き封筒において、
前記透明シートを囲むように設けられたミシン目により形成される切り取り部と、
前記切り取り部の縁を形成するミシン目から前記窓の縁までの間に設けられた少なくとも２本のミシン目により形成される切片と、
を備えることを特徴とする窓付き封筒。
【請求項２】
一葉の紙の端部に設けられた接着片を用いて前記一葉の紙を折り曲げた後で接着することにより形成された封筒本体と、前記封筒本体の表紙に設けられた窓と、この窓をふさぐ透視可能な透明シートとを備える窓付き封筒において、
前記透明シートを囲むように、かつ、前記封筒本体の裏紙の接着片側に開口を持つように、ミシン目により形成される切り取り部と、
前記接着片の長手方向に対して交差する方向に、この接着片に設けられた少なくとも２本のミシン目により形成される切片と、
を備え、前記切片を形成し、かつ、前記封筒本体の縁に達するミシン目の端と、前記切り取り部の開口を形成するミシン目の端とをミシン目で連結したことを特徴とする窓付き封筒。
【請求項３】
前記各接着片の中で前記切り取り部から短い距離に位置する接着片に対して前記切片を形成することを特徴とする請求項２に記載の窓付き封筒。
【請求項４】
一葉の紙の端部に設けられた接着片を用いて前記一葉の紙を折り曲げた後で接着することにより形成された封筒本体と、前記封筒本体の表紙に設けられた窓と、この窓をふさぐ透視可能な透明シートとを備える窓付き封筒において、
前記透明シートを囲むように、かつ、前記表紙の縁側に開口を持つように、ミシン目により形成される切り取り部と、
前記表紙の縁側にミシン目により形成されると共に、前記切り取り部の開口と向かい合う部分でこのミシン目が不連続である開封用の開封部と、
を備え、前記開封部の不連続部分の端と、前記切り取り部の開口を形成するミシン目の端とをミシン目でそれぞれ連結したことを特徴とする窓付き封筒。
【請求項５】
前記表紙の各縁の中で前記切り取り部から短い距離に位置する縁に対して前記開封部を形成することを特徴とする請求項４に記載の窓付き封筒。
【発明の詳細な説明】
【技術分野】
【０００１】
この発明は封筒に窓が形成されている窓付き封筒に関する。
【背景技術】
【０００２】
窓付き封筒は表紙に窓を持ち、窓には四角形状の合成樹脂製の透明シートが表紙の裏側から貼り付けられている。窓付き封筒を利用する場合、この封筒内に用紙を入れることにより、用紙に印刷されている送り先を窓付き封筒の窓が透視可能にする。こうした窓付き封筒を用いることにより、封筒の表紙に送り先の住所などを印刷する手間を省くことができる（例えば、特許文献１参照。）。
【特許文献１】特開２００４−２９９７４９号公報
【発明の開示】
【発明が解決しようとする課題】
【０００３】
ところで、使用済みの封筒は例えば再生紙としてリサイクルが可能である。先に述べた窓付き封筒も同様であるが、窓付き封筒をリサイクル可能にするためには、封筒の窓に貼り付けられている合成樹脂製の透明シートを封筒から取り除く必要がある。つまり、窓付き封筒の場合には、リサイクルが可能な紙製の部分と、そうではない合成樹脂製の部分とに分ける必要がある。このために、窓付き封筒を処分する人はカッターなどを用いて透明シートの部分を切り取らなければならず、従来の窓付き封筒には透明シートの切り取り作業に手間と時間を要するという課題がある。
【０００４】
この発明の目的は、前記の課題を解決し、窓に貼り付けられた合成樹脂製のフィルムと紙製の部分とを簡単に分けることを可能にする窓付き封筒を提供することにある。
【課題を解決するための手段】
【０００５】
前記の課題を解決するために、請求項１の発明は、一葉の紙の端部に設けられた接着片を用いて前記一葉の紙を折り曲げた後で接着することにより形成された封筒本体と、前記封筒本体の表紙に設けられた窓と、この窓をふさぐ透視可能な透明シートとを備える窓付き封筒において、前記透明シートを囲むように設けられたミシン目により形成される切り取り部と、前記切り取り部の縁を形成するミシン目から前記窓の縁までの間に設けられた少なくとも２本のミシン目により形成される切片とを備えることを特徴とする窓付き封筒である。
【０００６】
請求項１の発明では、封筒を紙製の部分と透明シートつまり合成樹脂製の部分とに分ける場合、処分する人が先ず切片のミシン目を切ると、切り取り部のミシン目と交差するように縁が形成される。次に、処分する人は、形成された縁を利用して切り取り部のミシン目に沿って封筒本体から切り取り部を切り取る。
【０００７】
請求項２の発明は、一葉の紙の端部に設けられた接着片を用いて前記一葉の紙を折り曲げた後で接着することにより形成された封筒本体と、前記封筒本体の表紙に設けられた窓と、この窓をふさぐ透視可能な透明シートとを備える窓付き封筒において、前記透明シートを囲むように、かつ、前記封筒本体の裏紙の接着片側に開口を持つように、ミシン目により形成される切り取り部と、前記接着片の長手方向に対して交差する方向に、この接着片に設けられた少なくとも２本のミシン目により形成される切片とを備え、前記切片を形成し、かつ、前記封筒本体の縁に達するミシン目の端と、前記切り取り部の開口を形成するミシン目の端とをミシン目で連結したことを特徴とする窓付き封筒である。
【０００８】
請求項２の発明では、封筒を紙製の部分と合成樹脂製の部分とに分ける場合、処分する人が切片のミシン目を切る。切片のミシン目には切り取り部のミシン目がつながっているので、処分する人は切片を用いてそのまま切り取り部のミシン目に沿って封筒本体から切り取り部を切り取る。
【０００９】
請求項３の発明は、請求項２に記載の窓付き封筒において、前記各接着片の中で前記切り取り部から短い距離に位置する接着片に対して前記切片を形成することを特徴とする。
【００１０】
請求項４の発明は、一葉の紙の端部に設けられた接着片を用いて前記一葉の紙を折り曲げた後で接着することにより形成された封筒本体と、前記封筒本体の表紙に設けられた窓と、この窓をふさぐ透視可能な透明シートとを備える窓付き封筒において、前記透明シートを囲むように、かつ、前記表紙の縁側に開口を持つように、ミシン目により形成される切り取り部と、前記表紙の縁側にミシン目により形成されると共に、前記切り取り部の開口と向かい合う部分でこのミシン目が不連続である開封用の開封部とを備え、前記開封部の不連続部分の端と、前記切り取り部の開口を形成するミシン目の端とをミシン目でそれぞれ連結したことを特徴とする窓付き封筒である。
【００１１】
請求項４の発明では、封筒を紙製の部分と合成樹脂製の部分とに分ける場合、処分する人が開封部のミシン目を切る。開封部のミシン目は切り取り部のミシン目につながっているので、処分する人は開封部を用いてそのまま切り取り部のミシン目に沿って封筒本体から切り取り部を切り取る。
【００１２】
請求項５の発明は、請求項４に記載の窓付き封筒において、前記表紙の各縁の中で前記切り取り部から短い距離に位置する縁に対して前記開封部を形成することを特徴とする。
【発明の効果】
【００１３】
請求項１の発明によれば、切片のミシン目を切ることにより、切り取り部のミシン目と交差するように縁が形成され、この後、形成された縁から切り取り部のミシン目に沿って切り取り部を切り取るので、従来のようにカッターなどの道具を不要にし、窓の縁を利用することにより、紙製の部分と合成樹脂製の部分とを簡単に分けることを可能にする。
【００１４】
請求項２の発明によれば、切片のミシン目から順に各ミシン目に沿って切り取ることにより切り取り部を切り取るので、従来のようにカッターなどの道具を不要にし、接着片の縁を利用することにより、紙製の部分と合成樹脂製の部分とを簡単に分けることができる。
【００１５】
請求項３の発明によれば、裏紙の各接着片の中で切り取り部から短い距離に位置する接着片に対して切片を形成したので、ミシン目に沿って切り取る時間を短くすることを可能にする。
【００１６】
請求項４の発明によれば、配達された窓付き封筒を開封する場合に、開封部のミシン目に沿って開封すると、このミシン目が切り取り部のミシン目につながっているので、開封時に紙製の部分と合成樹脂製の部分とを分けることができる。
【００１７】
請求項５の発明によれば、表紙の各縁の中で切り取り部から短い距離に位置する縁に対して開封部を形成したので、ミシン目に沿って切り取る時間を短くすることを可能にする。
【発明を実施するための最良の形態】
【００１８】
次に、この発明の実施の形態について、図面を用いて詳しく説明する。
【００１９】
（実施の形態１）
この実施の形態による窓付き封筒を図１および図２に示す。この窓付き封筒は封筒本体１と切り取り部２と切片２Ａとで形成されている。
【００２０】
封筒本体１は、再生紙としてリサイクル可能な一葉の紙で作られている。つまり、一葉の紙を折り曲げて、表紙１１と裏紙１２とを形成する。また、表紙１１の端部には長方形状の接着片１３、１４がＬ字状の位置に形成され、接着片１３は裏紙１２に接着されて一葉の紙を筒状にし、接着片１４は裏紙１２に接着されて底を形成する。つまり、接着片１３、１４を裏紙１２に接着することにより、袋状の封筒本体１が形成される。また、接着片１４と向かい合う表紙１１の縁には長方形状の貼付片１５が形成されている。貼付片１５は、書類などの用紙が封筒本体１に入れられた後で、封筒本体１を密封するためのものである。
【００２１】
封筒本体１の表紙１１には窓１１Ａが形成されている。窓１１Ａは封筒本体１に入れられた用紙に印刷されている送り先を透視可能にするものであり、窓１１Ａには、四角形状の合成樹脂製の透明シート１１Ｂが表紙１１の裏側から貼り付けられている。透明シート１１Ｂは封筒本体１を形成する一葉の紙と異なり、リサイクルされないものである。
【００２２】
切り取り部２は人手により透明シート１１Ｂを封筒本体１から切り離すためのものである。この実施の形態では、透明シート１１Ｂを囲むように、ミシン目２１Ａによる切り取り部２が封筒本体１の表紙１１に形成されている。切り取り部２を形成するミシン目２１Ａとしては各種間隔のものが利用可能である。さらに、四角形状の切り取り部２の縁、つまり、切り取り部２の長辺または短辺の中の１つ、この実施の形態では短辺と、この短辺のミシン目２１Ａと向かい合う窓１１Ａの縁との間には、２本のミシン目２Ａ1が設けられて、長方形状の切片２Ａが形成されている。切片２Ａは切り取り部２による透明シート１１Ｂの切り取りを容易にするものである。
【００２３】
次に、この実施の形態による窓付き封筒の処分方法について説明する。窓付き封筒を処分するとき、処分する人は、先ず指先を用いてミシン目２Ａ1に沿って切片２Ａを切り、切片２Ａを引き起こす。この後、処分する人が切片２Ａを引き起こすか、または除くと、図３に示すように、切り取り部２に縁２１Ｂが形成される。処分する人は、切り取り部２の縁２１Ｂを利用して、ミシン目２１Ａに沿って切り取り部２を封筒本体１の表紙１１から切り取る。
【００２４】
この実施の形態の窓付き封筒により、カッターなどの道具を用いないで、窓１１Ａの縁を利用して、人手で切り取り部２を封筒本体１から簡単に切り離すことを可能し、かつ、切片２Ａのミシン目２Ａ1と切り取り部２のミシン目２１Ａとに沿って切り取ると、封筒本体１から切り取り部２を切り取ることができるので、紙製の封筒本体１と合成樹脂製の透明シート１１Ｂとを容易に分けることを可能にする。この結果、この実施の形態による使用後の窓付き封筒を、リサイクル可能な物と、そうでない物とに容易に分けることができる。
【００２５】
（実施の形態２）
この実施の形態による窓付き封筒を図４および図５に示す。この窓付き封筒は封筒本体１と切り取り部３と切片３Ａとで形成されている。なお、この実施の形態では、先に説明した実施の形態１と同一または同一と見なされる構成要素には、それと同じ参照符号を付けてその説明を省略する。
【００２６】
切り取り部３は人手により透明シート１１Ｂを封筒本体１から切り離すためのものである。この実施の形態では、透明シート１１Ｂを囲むように、四角形状の一辺の一部分に開口を持つミシン目３１Ａによる切り取り部３が封筒本体１の表紙１１に形成されている。切り取り部３を形成するミシン目３１Ａとしては各種間隔のものが利用可能である。切り取り部３には切片３Ａが設けられている。この実施の形態では、裏紙１２に接着されている接着片１３、１４に対して、切り取り部３から短い距離にある接着片１４に切片３Ａが設けられている。このために、この実施の形態では、ミシン目３１Ａの開口が接着片１４に向いている。また、接着片１４には、ミシン目３１Ａの開口より狭い配置で２本のミシン目３Ａ1が設けられている。各ミシン目３Ａ1は裏紙１２まで貫通していない。さらに、封筒本体１の縁に達するミシン目３Ａ1の端が、ミシン目３１Ａの開口の両端にミシン目で連結されている。２本のミシン目３Ａ1により、長方形状の切片３Ａが形成されている。切片３Ａは切り取り部３による透明シート１１Ｂの切り取りを容易にするものである。切片としては、図６に示す切片３Ｂでもよい。切片３Ｂは、切片３Ａの縁に引っ掛け部分３Ｂ1を設けたものであり、引っ掛け部分３Ｂ1は裏紙１２に貼付されていない。
【００２７】
次に、この実施の形態による窓付き封筒の処分方法について説明する。窓付き封筒を処分するとき、処分する人は、先ず指先を用いてミシン目３Ａ1を切って切片３Ａを引き起こす。このとき、各ミシン目３Ａ1が裏紙１２まで貫通していないので、処分する人は、２枚の紙を切る場合に比べて、少ない力で切片３Ａを引き起こすことができる。この後、処分する人は、図７に示すように引き起こされた切片３Ａを持ち、封筒本体１の表紙１１に設けられているミシン目３１Ａに沿って切り取り部３を封筒本体１の表紙１１から切り取る。
【００２８】
この実施の形態の窓付き封筒により、接着片１４の縁を利用して、切り取り部３を封筒本体１から簡単に切り離すことができ、紙製の封筒本体１と合成樹脂製の透明シート１１Ｂとを容易に分けることを可能にする。この結果、この実施の形態による使用済みの窓付き封筒を、リサイクル可能な物と、そうでない物とに容易に分けることができる。また、切片として図６の切片３Ｂを用いた場合には、引っ掛け部分３Ｂ1により切片３Ｂの引き起こしを簡単に行うことを可能にする。
【００２９】
（実施の形態３）
この実施の形態による窓付き封筒を図８および図９に示す。この窓付き封筒は封筒本体１と切り取り部４と切片４Ａとで形成されている。なお、この実施の形態では、先に説明した実施の形態１と同一または同一と見なされる構成要素には、それと同じ参照符号を付けてその説明を省略する。
【００３０】
切り取り部４は人手により透明シート１１Ｂを封筒本体１から切り離すためのものである。この実施の形態では、透明シート１１Ｂを囲むように、ミシン目４１Ａによるコ字状の切り取り部４が封筒本体１の表紙１１に、かつ、ミシン目４１Ａの端が表紙１１の縁に到達するように形成されている。切り取り部４を形成するミシン目４１Ａとしては各種間隔のものが利用可能である。切り取り部４には切片４Ａが設けられている。この実施の形態では、裏紙１２に接着されている接着片１３、１４に対して、切り取り部４から短い距離にある接着片１４に切片４Ａが設けられている。このために、この実施の形態では、ミシン目４１Ａの開口が接着片１４に向いている。また、接着片１４には、ミシン目４１Ａの開口と向かい合うように、かつ、ミシン目４１Ａの開口の端と連結するように、２本のミシン目４Ａ1が設けられている。各ミシン目４Ａ1は裏紙１２まで貫通していない。２本のミシン目４Ａ1により、長方形状の切片４Ａが形成されている。切片４Ａは切り取り部４による透明シート１１Ｂの切り取りを容易にするものである。切片としては、図１０に示す切片４Ｂでもよい。切片４Ｂは、切片４Ａの縁に引っ掛け部分４Ｂ1を設けたものであり、引っ掛け部分４Ｂ1は裏紙１２に貼付されていない。
【００３１】
次に、この実施の形態による窓付き封筒の処分方法について説明する。窓付き封筒を処分するとき、処分する人は、先ず指先を用いてミシン目４Ａ1を切って切片４Ａを引き起こす。このとき、各ミシン目４Ａ1が裏紙１２まで貫通していないので、処分する人は、２枚の紙を切る場合に比べて、少ない力で切片４Ａを引き起こすことができる。この後、処分する人は、図１１に示すように、切片４Ａを持ってそのまま直線状に、封筒本体１の表紙１１に設けられているコ字状のミシン目４１Ａに沿って、切り取り部４を封筒本体１の表紙１１から切り取る。
【００３２】
この実施の形態の窓付き封筒により、実施の形態２の切片３Ｂに比べて切片４Ａの方が長いので、切片４Ａが持ちやすい。これにより、接着片１４の縁を利用して、切り取り部４を封筒本体１から簡単に切り離すことができ、紙製の封筒本体１と合成樹脂製の透明シート１１Ｂとを容易に分けることを可能にする。この結果、この実施の形態による使用後の窓付き封筒を、リサイクル可能な物と、そうでない物とに容易に分けることができる。また、切片として図１０の切片４Ｂを用いた場合には、引っ掛け部分４Ｂ1により切片４Ｂの引き起こしを簡単に行うことを可能にする。さらに、切片４Ａを切った後そのまま直線状に切り取り部４を切り取るので、切り取りの作業が容易である。
【００３３】
（実施の形態４）
この実施の形態による窓付き封筒を図１２および図１３に示す。この窓付き封筒は封筒本体１と切り取り部５と開封部６とで形成されている。なお、この実施の形態では、先に説明した実施の形態１と同一または同一と見なされる構成要素には、それと同じ参照符号を付けてその説明を省略する。
【００３４】
切り取り部５は人手により透明シート１１Ｂを封筒本体１から切り離すためのものである。この実施の形態では、透明シート１１Ｂを囲むように、ミシン目５１Ａによるコ字状の切り取り部５が封筒本体１の表紙１１に形成されている。切り取り部５を形成するミシン目５１Ａとしては各種間隔のものが利用可能である。また、表紙１１および裏紙１２には開封部６が設けられている。
【００３５】
開封部６は、貼付片１５で密封された封筒本体１を開けるものである。この実施の形態では、表紙１１の各縁に対して切り取り部５から短い距離にある縁、つまり、接着片１４側に位置する縁部に開封部６が設けられている。このために、この実施の形態では、ミシン目５１Ａの開口が接着片１４側を向いている。また、コ字状のミシン目５１Ａの両端に連結して、２本のミシン目６１Ａが表紙１１の縁、つまり、表紙１１の各長辺に向かって設けられている。裏紙１２に対しては、各ミシン目６１Ａの端を連結するように、ミシン目６１Ｂが設けられている。ミシン目６１Ｂは裏紙１２を貫通している。これらのミシン目６１Ａとミシン目６１Ｂとにより開封部６が形成されている。
【００３６】
次に、この実施の形態による窓付き封筒の処分方法について説明する。窓付き封筒を受け取ると、受け取り人は、ミシン目６１Ａ、６１Ｂに沿って開封部６を封筒本体１から切り離していく。切り離した部分が切り取り部５のミシン目５１Ａの両端に達したら、受け取り人は、ミシン目５１Ａに沿って切り取り部５を開封部６と共に封筒本体１から切り取って窓付き封筒を開封する。
【００３７】
この実施の形態の窓付き封筒により、配達された窓付き封筒を開封部６により開封するときに、切り取り部５を封筒本体１から簡単に切り離すことができ、紙製の封筒本体１と合成樹脂製の透明シート１１Ｂとを容易に分けることを可能にする。この結果、この実施の形態の窓付き封筒を用いると、窓付き封筒を開封時にリサイクル可能な物と、そうでない物とに容易に分けることができる。
【００３８】
以上、この発明の実施の形態１〜４を詳述してきたが、具体的な構成はこの実施の形態に限られるものではなく、この発明の要旨を逸脱しない範囲の設計の変更等があっても、この発明に含まれる。例えば、各実施の形態では、接着片１３と接着片１４とがＬ字状の位置にあったが、接着片１３と接着片１４の配置はこれに限らず各種のものがある。例えば、接着片１４に対して接着片１３がＴ字状にあってもよく、また、３つの接着片をコ字状に配置してもよい。また、実施の形態４では、表紙１１の短辺側に開封部６を設けたが、図１４に示すように、表紙１１の長辺側に開封部６を設けてもよい。
【００３９】
さらに、実施の形態２、３では切片３Ａ、４Ａを接着片１４に設けたが、切片３Ａ、４Ａを貼付片１５に設けてもよい。これにより、窓付き封筒の受け取り人が貼付片１５から開封すると、貼付片１５と共に切片３Ａ、４Ａが引き起こされる。この後、受け取り人は、ミシン目３Ａ1、４Ａ1を切って切片３Ａ、４Ａを貼付片１５から離し、切片３Ａ、４Ａを用いて切り取り部４、５を封筒本体１から切り取ると、開封と共に切り取り部４、５と封筒本体１とを分けることができる。
【図面の簡単な説明】
【００４０】
【図１】実施の形態１による窓付き封筒の正面を示す正面図である。
【図２】図１の窓付き封筒の背面を示す背面図である。
【図３】実施の形態１による窓付き封筒の処分法を説明する正面図である。
【図４】実施の形態２による窓付き封筒の正面を示す正面図である。
【図５】図４の窓付き封筒の背面を示す背面図である。
【図６】実施の形態２による窓付き封筒の変形例を示す背面図である。
【図７】実施の形態２による窓付き封筒の処分法を説明する正面図である。
【図８】実施の形態３による窓付き封筒の正面を示す正面図である。
【図９】図８の窓付き封筒の背面を示す背面図である。
【図１０】実施の形態３による窓付き封筒の変形例を示す背面図である。
【図１１】実施の形態３による窓付き封筒の処分法を説明する正面図である。
【図１２】実施の形態４による窓付き封筒の正面を示す正面図である。
【図１３】図１２の窓付き封筒の背面を示す背面図である。
【図１４】実施の形態４による窓付き封筒の変形例を示す正面図である。
【符号の説明】
【００４１】
１  封筒本体
１１  表紙
１１Ａ  窓
１１Ｂ  透明シート
１２  裏紙
１３、１４  接着片
１５  貼付片
２  切り取り部
２１Ａ、２Ａ1  ミシン目
２１Ｂ  縁
２Ａ  切片
３、４  切り取り部
３１Ａ、３Ａ1、４１Ａ、４Ａ1  ミシン目
３Ａ、３Ｂ、４Ａ、４Ｂ  切片
３Ｂ1、４Ｂ1  引っ掛け部分
５  切り取り部
５１Ａ  ミシン目
６  開封部
６１Ａ、６１Ｂ  ミシン目
【図１】
2008056320.tif 000003
【図２】
2008056320.tif 000004
【図３】
2008056320.tif 000005
【図４】
2008056320.tif 000006
【図５】
2008056320.tif 000007
【図６】
2008056320.tif 000008
【図７】
2008056320.tif 000009
【図８】
2008056320.tif 000010
【図９】
2008056320.tif 000011
【図１０】
2008056320.tif 000012
【図１１】
2008056320.tif 000013
【図１２】
2008056320.tif 000014
【図１３】
2008056320.tif 000015
【図１４】
2008056320.tif 000016